(57)【要約】      （修正有）【課題】漏洩試験に用いられる継手部材において、部材の交換を容易とし、施工性を向上させた継手部材を提供する。【解決手段】排水配管の流路上に取り付けられて、漏洩試験を行う継手部材１は、継手本体２と挿入部材３とから構成されている。継手本体２は、上流側端部に形成された流入口２１と、下流側端部に形成された流出口２２と、側面に形成された取付口２３とを有する。取付口２３より挿入される挿入部材３は、交換可能な複数の機能部を備えており、用途に応じて交換可能となっている。閉塞部４は、挿入部材３に取り付けられて排水流路を閉塞する機能部であり、漏洩試験時に取り付けられる。逆流防止弁は、漏洩試験終了後に挿入部材３に取り付けられる機能部であり、継手部材１に逆流防止装置としての機能を付与する。【選択図】図１
2019211225.tif 000002
【特許請求の範囲】
【請求項１】
排水配管の流路上に取り付けられて、漏洩試験を行う継手部材であって、
流路側の端部及び流路の側方に開口を有する管体である継手本体と、
上記側方の開口より挿入される挿入部材を備え、
挿入部材は、
交換可能な複数の機能部を有し、
上記機能部は挿入部材に対して着脱可能であり、用途に応じて交換可能であることを特徴とする継手部材。
【請求項２】
上記複数の機能部は、
排水流路を閉塞する閉塞部と、
逆流防止弁又は通水部材を有し、
前記挿入部材は、漏洩試験時には閉塞部が取り付けられるとともに、漏洩試験終了後、前記閉塞部に換えて逆流防止弁又は通水部材が取り付けられることを特徴とする請求項１又に記載の継手部材。
【請求項３】
前記継手本体は内部が目視可能であって、
前記閉塞部と前記逆流防止弁又は通水部材は異なる外観を有し、
内部が目視された際において、
前記継手本体内部に取り付けられている前記閉塞部又は前記逆流防止弁又は通水部材が、外部から識別可能であることを特徴とする請求項２に記載の継手部材。
【請求項４】
前記漏洩試験は満空試験であることを特徴とする請求項１乃至請求項３のいずれか１つに記載の継手部材。
【発明の詳細な説明】
【技術分野】
【０００１】
本発明は、排水配管に取り付けられて、漏洩試験を行う継手部材に関するものである。
【背景技術】
【０００２】
従来の技術としては、特許文献１に記載された漏水試験を行う継手部材が知られている。特許文献１に記載の継手部材は、多層階を有する建物に対し、数階層毎に排水配管を閉塞し、試験対象となる排水配管内を満水にすることによって漏水の確認を行う満水試験に用いられる。当該継手部材は、上流側及び下流側の排水配管と接続される継手本体と、継手本体内に配置されて排水流路を閉塞する治具である閉塞部を備えている。閉塞部は継手部材内に配置された際に、上流側の及び下流側の排水流路に押し付けられる閉塞板と、調整機構を備えている。尚、調整機構はナットを回すことによって閉塞板を上下動させる構造となっている。
【０００３】
上記従来の継手部材を用いて漏洩試験を行う際には、継手本体の内部に閉塞部を挿入し、調整機構によって閉塞板を上流側及び下流側の排水流路に押し付けることで、閉塞板によって排水配管を閉塞する。その後、試験対象となる排水配管内を満水にして漏洩試験を行う。
【０００４】
尚、漏洩試験の方法としては上記満水試験の他、特許文献２のように、閉塞された排水配管内の空気圧を測定することによって検査を行う満空試験も知られている。当該満空試験においては、上記満水試験のように試験用水を用意する必要がなく、又、微少な圧力変化を記録することが可能となることから高精度なデータを得ることが可能となる。
【先行技術文献】
【特許文献】
【０００５】
【特許文献１】特開２００８−２８５９２０号公報
【特許文献２】特開平２−２１２７３３号公報
【発明の概要】
【発明が解決しようとする課題】
【０００６】
ここで、上記漏洩試験が終了すると、上記閉塞部は取り外され、代わりに逆流防止弁又は流路形成部材が取り付けられて排水流路内に配置されるが、当該部材の取り替え作業は煩雑であった。
【０００７】
本発明は上記問題に鑑み発明されたものであって、部材の交換を容易とし、施工性を向上させた継手部材の提供を課題とする。
【０００８】
請求項１に記載の本発明は、排水配管の流路上に取り付けられて、漏洩試験を行う継手部材であって、
流路側の端部及び流路の側方に開口を有する管体である継手本体と、
上記側方の開口より挿入される挿入部材を備え、
挿入部材は、
交換可能な複数の機能部を備え、
上記機能部は挿入部材に対して着脱可能であり、用途に応じて交換可能であることを特徴とする継手部材である。
【０００９】
請求項２に記載の本発明は、上記複数の機能部は、
排水流路を閉塞する閉塞部と、
逆流防止弁又は通水部材を有し、
前記挿入部材は、漏洩試験時には閉塞部が取り付けられるとともに、漏洩試験終了後、前記閉塞部に換えて逆流防止弁又は通水部材が取り付けられることを特徴とする請求項１又に記載の継手部材である。
【００１０】
請求項３に記載の本発明は、前記継手本体は内部が目視可能であって、
前記閉塞部と前記逆流防止弁又は通水部材は異なる外観を有し、
内部が目視された際において、
前記継手本体内部に取り付けられている前記閉塞部又は前記逆流防止弁又は通水部材が、外部から識別可能であることを特徴とする請求項２に記載の継手部材である。
【００１１】
請求項４に記載の本発明は、前記漏洩試験は満空試験であることを特徴とする請求項１乃至請求項３のいずれか１つに記載の継手部材である。
【発明の効果】
【００１２】
請求項１及び請求項２に記載の本発明によれば、用途に応じて機能部を交換することで継手部材の機能を変更することが可能となる。
請求項３に記載の本発明によれば、目視確認によって取り付けられている部材が判別可能であるため、試験終了後には確実に閉塞部を交換することが可能となり、施工ミスを防ぐことができる。
請求項４に記載の本発明によれば、継手部材を満空試験用の継手部材として使用することができる。
【図面の簡単な説明】
【００１３】
【図１】本発明の継手部材を示す断面図である。
【図２】本発明の分解断面図である。
【図３】継手本体の正面図である。
【図４】挿入部材を示す分解断面図である。
【図５】閉塞部を示す（ａ）正面図（ｂ）底面図である。
【図６】逆流防止弁が取り付けられた継手本体を示す断面図である。
【図７】第二実施形態に係る本発明の継手部材を示す断面図である。
【図８】閉塞部を示す（ａ）正面図（ｂ）底面図である。
【図９】第三実施形態に係る本発明の継手部材を示す断面図である。
【図１０】閉塞部を示す（ａ）正面図（ｂ）底面図である。
【図１１】継手部材が取り付けられた排水配管を示す参考図である。
【発明を実施するための形態】
【００１４】
以下に、本発明の継手部材を、図面を参照しつつ説明する。尚、以下に記載する説明は実施形態の理解を容易にするものであって、これによって本発明が制限して理解されるものではない。尚、本実施形態における継手部材１は図１１に示すように、排水縦管に取り付けられるとともに、多数階を有する建物の各階に配置される。尚、図１１においては理解を容易にするために１階から４階に配置された継手部材１にそれぞれ継手部材１ａ、継手部材１ｂ、継手部材１ｃ、継手部材１ｄと番号を付しているが、それぞれの継手部材は全て同一の部材である。
【００１５】
本発明における継手部材１は、図１、図２に示すように、継手本体２、挿入部材３から構成されている。尚、継手部材１は満空試験による漏洩試験を行うための部材である。又、挿入部材３は交換可能な複数の機能部を備えている。本実施形態において上記機能部は満空試験時に使用する閉塞部３と、満空試験終了後に使用する逆流防止弁６であり、用途に応じて交換可能となっている。
【００１６】
継手本体２は内部が目視可能となるように形成された透明の樹脂材から成り、上流側端部に形成された流入口２１と、下流側端部に形成された流出口２２と、側面に形成された取付口２３を有するとともに、流入口２１と流出口２２の間には後述する閉塞部４が配置される収納室２５が形成されている。又、収納室２５には取付口２３から挿入された挿入部材３が配置されている。
流入口２１は継手本体２の上端に形成された開口であって、上流側の排水配管である配管１００が接続されている。又、流出口２２は継手本体２の下端に形成された開口であって、下流側の排水配管である配管２００が接続されている。
取付口２３は継手本体２の側面に形成された開口であって、内周において挿入部材３の溝部３１１内を摺動する突起２４が形成されている。
収納室２５は挿入部材３が配置可能な収納空間を有するとともに、その上端であって流入口２１下端と連続する位置に取り付け溝２６が形成されている。図３に示すように、取り付け溝２６は継手本体２が幅方向外側に向けて凸となるように膨出して形成されており、傾斜面２７、ガイド部２８を有している。傾斜面２７は取り付け溝２６の上面であって、流入口２１下端に形成されているとともに、取付口２３へ向かうに従い流入口２１側へと傾斜している。従って、傾斜面２７は取付口２３の軸方向及び後述する挿入部材３の挿入方向に対して傾斜している。又、傾斜面２７は挿入部材３の傾斜面３６と当接する。ガイド部２８は傾斜面２７と対向する取り付け溝２６の下面であり、挿入部材３が挿入された際、挿入部材３の被ガイド部３７と当接することによって、閉塞部４が傾斜面２７より離間することを防ぐ。尚、傾斜面２７は本実施形態において、挿入部材３の挿入方向と平行に形成されているが、取付口２３へ向かうに従い流出口２２側へと傾斜しても良い。
【００１７】
図４に示すように、挿入部材３は蓋部３１、固定部３４、機能部としての閉塞部４を有している。
蓋部３１はその外径が上記取付口２３と略同径である円形であって、その外周に突起２４が摺動する溝部３１１が螺刻されている。又、蓋部３１は施工完了時において継手本体２から露出する側の側面に取手３２が形成されているとともに、取手３２と反対の側面において、蓋部３１と固定部３４が相対回転可能となるように接続される円形の嵌合部３３が形成されている。
固定部３４は上記嵌合部３３と嵌合する爪部３５と、収納室２５内に配置される傾斜面３６及び被ガイド部３７を有するとともに、施工完了時において流入口２１下端と連続する位置において形成された開口３４１に閉塞部４が取り付けられている。又、固定部３４は爪部３５の外周において、取付口２３の内周と当接する位置に環状のパッキン３８を有するとともに、傾斜面３６には、傾斜面２７と当接する位置にパッキン３９を有している。傾斜面３６は固定部３４の上面に形成され、収納室２５の傾斜面２７と同じ角度で傾斜しており、挿入部材３が継手本体２内に配置された際にパッキン３９を介して傾斜面２７と密接する。被ガイド部３７は固定部３４の下面に形成され、挿入部材３が継手本体２内に配置された際にガイド部２８と当接する。開口３４１は流入口２１の直下に配置される位置において固定部３上下に貫通するように形成されている。開口３４１の内周には突起状の接続部３４２が形成されており、当該接続部３４２と後述する被接続部４１によって閉塞部４が取り付けられている。尚、開口３４１は上流側が縮径しており、閉塞部４が取り付けられた状態において、当該縮径部分の内周面にパッキン４０が当接する。これにより、開口３４１は水密に塞がれている。又、開口３４１は下端において外向きに突出する鍔部３４３が形成されている。
閉塞部４は固定部３４の開口３４１に取り付けられた栓体であって、継手本体２内に配置された状態であっても外部から目視可能となるように赤色で着色されている。又、閉塞部４は図５に示すように、上端近傍において上記固定部３４の内周に当接するパッキン４０が取り付けられているとともに、その外周には上記接続部３４２が係合する溝状の被接続部４１が形成されている。又、閉塞部４は下方に向けて突出する突出部が形成されており、当該突出部は図５に示すように側面視略弧状且つ底面視十字状のリブとなっている。尚、当該閉塞部４の突出部分の形状及び色彩は後述する逆流防止弁６と大きく異なっており、継手本体２を目視した際、継手本体２内に配置されているのが閉塞部４であるか逆流防止弁６であるか容易に判別可能となっている。
【００１８】
上記継手部材１の取り付けについて説明する。尚、漏洩試験の際、継手部材１は試験区間の上流側端部及び下流側端部の排水配管に取り付けられるものであり、以下においては上流側端部又は下流側端部のどちらか一方に配置された継手本体２の取り付けについて記載するが、他方に配置された継手本体２も同様の取り付けがなされている。
まず、配管１００と配管２００に継手本体２を接着により取り付ける。この時、配管１００と配管２００は継手本体２を介して排水流路が連通している。
次に、固定部３４の開口３４１に閉塞部４を挿入し、接続部３４２を被接続部４１に押し付けた状態で閉塞部４を回転させる。この時、パッキン４０が開口３４１の内周面に当接し、開口３４１が水密に塞がれるとともに、突起状の接続部３４２が溝状の被接続部４１内に配置されることで、固定部３４に閉塞部４が固定される。
次に、取付口２３より挿入部材３を挿入する。尚、当該挿入の際には図２に示すように、取付部６２に対して略水平であって、取付部６２の軸方向に対して平行となる方向に挿入する。そして、取付口２３の突起２４が蓋部３１の溝部３１１に当接した後、蓋部３１を回動させることによって挿入部材３を収納室２５内に配置する。尚、溝部３１１は螺旋状に形成されているため、蓋部３１の回動に伴い突起２４が溝部３１１内を摺動するとともに、当該摺動によって蓋部３１の回転運動が挿入部材３を収納室２５側へと移動させる水平方向の応力へと変換される。その結果、挿入部材３は更に収納室２５の奥側へと移動する。又、挿入部材３は被ガイド部３７がガイド部２８に当接し、当該ガイド部２８に沿って収納室２５の奥側へと移動するとともに、継手本体２の傾斜面２７と挿入部材３の傾斜面３６がパッキン３９を介して圧接される。この時、継手本体２と挿入部材３は傾斜面２７と傾斜面３６によって接近し、圧接することにより、水平方向の応力が更に上下方向の応力に変換される。これにより、パッキン３９が傾斜面２７に押し付けられて流入口２１が閉塞される。尚、上記変換された上下方向の応力は、挿入部材３の傾斜面３６を下方に押し下げるようにも働くが、継手本体２のガイド部２８によって挿入部材３の被ガイド部３７が支持されているため、傾斜部２７と傾斜部３６が離間してしまうことが防止される。
上記挿入部材３が収納室２５内に配置された状態において、パッキン３９は傾斜面２７に当接し、閉塞部４によって排水配管が閉塞される。又、固定部３４に取り付けられたパッキン３８によって、内部の空気が取付口２３より外部に漏洩することを防ぐ。これにより、継手部材１は上流側からの空気の流れと、下流側からの空気の流れを完全に閉塞する。
次に、上記閉塞された排水配管内に空気圧をかけ、空気の漏れの有無を検査することで漏洩試験である満空試験が行われる。尚、試験時において閉塞部４に対して上流側又は下流側から圧力が加わるが、閉塞部４は突起状の接続部３４２が溝状の被接続部４１内に係合していることから、試験時の空気圧によって外れてしまうことはない。
【００１９】
上記満空試験が終了した後、蓋部３１を上記挿入部材３の配置時とは逆方向に回動させ、挿入部材３を継手本体２より取り外し、排水配管の閉塞を解除する。
【００２０】
又、本実施形態においては、継手部材１は閉塞部４とは異なる機能部である逆流防止弁６を別部材として有している。そして、図６に示すように、試験終了後に上記閉塞部４に換えて逆流防止弁６を継手本体２に取り付けることで、継手部材１に逆流防止装置としての機能を付与することができる。
【００２１】
逆流防止弁６はシリコン等の弾性を有する材質から成り、内部に排水流路を有する側面視略三角形且つ正面視略円筒状であり、下流側端部に開閉部６１が形成されているとともに、上流側端部に固定部３４と嵌着される取付部６２が形成されている。開閉部６１は円筒の一端を押し潰し、軸状で重ね合わせた形状を成し、内部より圧力が付与されない限りにおいて排水流路を閉塞している。取付部６２は内周及び外周が拡径しており、固定部３４の下面に形成された鍔部３４３に嵌着されている。
【００２２】
上記逆流防止弁６が取り付けられた状態の継手部材１に対し、上流側から排水が生じた際には、当該排水によって開閉部６１が押し広げられて、開閉部６１による排水流路の閉塞が解除される。従って、上流側から流れた排水は逆流防止弁６を通過して下流側へと排出される。一方、排水が流れていない状態、又は下流側からの圧力が生じた際には、開閉部６１は排水流路の閉塞を維持する。従って、下流側からの排水や空気、及び害虫の逆流を防ぐことが可能となる。
【００２３】
尚、上記漏洩試験後に他階の排水配管について試験を行う場合には、閉塞部４を流用し、他階の継手部材１に取り付けても良い。例えば、図１１における継手部材１ｂ、継手部材１ｃを用いて２階、３階間の試験を行った後、下流側の継手部材１ｂの挿入部材３より閉塞部４を取り外し、４階に配置された継手部材１ｄの挿入部材３に閉塞部４を取り付け、３階、４階間の試験を行って良い。この時、閉塞部４が取り外された下流側の継手部材１ｂ内には逆流防止弁６を取り付ける。
【００２４】
上記本発明の継手部材１においては、挿入部材３又は挿入部材５を取り付ける際、水平方向に挿入した後に蓋部３１を回転させるだけで取り付けが可能となる。従って、継手部材１が狭い空間内に配置されていても、挿入部材３又は挿入部材５の着脱が容易となる。
又、上述の通り、本発明において、継手本体２は透明であり、且つ閉塞部４と逆流防止弁６はその形状及び色彩が大きく異なっている。従って、外部からの目視によって、継手本体２内部に配置されている機能部が閉塞部４であるか逆流防止弁６であるかが容易に判別可能となっている。これにより、試験終了時に作業者が閉塞部４を外し忘れることを防ぐことができる。
【００２５】
第一実施形態に係る継手部材１は以上であるが、本発明の継手部材は上記実施形態の形状に限られるものではなく、発明の要旨を逸脱しない範囲において種々の変更を加えても良いものである。例えば、上記第一実施形態において、閉塞部４は突起状の接続部３４２と溝状の被接続部４１の係合によって取り付けられていたが、図７及び図８に示すように、段状の接続部３４２と、当該段状の接続部３４２に係止する爪状の被接続部４１による係合や、図９及び図１０に示すように、雌螺子から成る接続部３４２と雄螺子から成る被接続部４１による螺合であっても良く、種々の接続構造を採用しても良い。
【００２６】
又、本発明の継手部材１は漏洩試験としての満空試験に使用されていたが、満水試験に使用しても良い。この時、継手部材１はパッキン３８によって取付口２３が閉塞されていることから、閉塞部４による排水流路の閉塞が不十分であったとしても、試験用水が外部に漏れてしまうことはない。又、蓋部３１によって、挿入部材３を取り外す際においても、継手部材１の上流側に貯留された試験用水が外部に漏れてしまうことを防ぐことができる。
又、上記第一実施形態においては、機能部は閉塞部４及び逆流防止弁６から成るものであったが、その他の機能部を有し、用途に応じて交換可能であっても良い。例えば、上記漏洩試験終了後、閉塞部４に換えて、排水流路が形成された通水部材を有する挿入部材３を機能部として取り付けても良く、水封式排水トラップを取り付けても良い。尚、開口３４１を排水流路とする場合には、何も取り付けられていない固定部３４自体を機能部である通水部材としても良い。
又、漏洩試験に際し、継手本体２の取付口２３から空気圧をかけるようにしても良い。この場合には、排水配管の上流側に配置される継手本体２と、下流側に配置される継手本体２に加え、空気圧を注入する継手本体２が必要となる。
【符号の説明】
【００２７】
１                    継手部材
２                    継手本体
２１                  流入口
２２                  流出口
２３                  取付口
２４                  突起
２５                  収納室
２６                  取り付け溝
２７                  傾斜面
２８                  ガイド部
３、５                挿入部材
３１                  蓋部
３１１                溝部
３２                  取手
３３                  嵌合部
３４                  固定部
３４１                開口
３４２                接続部
３４３                鍔部
３５                  爪部
３６                  傾斜面
３７                  被ガイド部
３８、３９、４０      パッキン
４                    閉塞部
４１                  被接続部
６                    逆流防止弁
６１                  開閉部
６２                  取付部
１００                配管
２００                配管
【図１】
2019211225.tif 000003
【図２】
2019211225.tif 000004
【図３】
2019211225.tif 000005
【図４】
2019211225.tif 000006
【図５】
2019211225.tif 000007
【図６】
2019211225.tif 000008
【図７】
2019211225.tif 000009
【図８】
2019211225.tif 000010
【図９】
2019211225.tif 000011
【図１０】
2019211225.tif 000012
【図１１】
2019211225.tif 000013